(57)【要約】【課題】調整用ネジを開閉装置の正面から調整できるようにし調整作業効率を向上せしめることができる開閉装置の取付位置調整機構を提供する。【解決手段】複写機本体等の機器本体に取り付け固定される取付部材と、該取付部材にリフト軸を介して回動自在に枢着されると共に原稿圧着板等を直接または間接的に装着する支持部材から構成される開閉装置において、上記取付部材の底板と上記機器本体との間に調整板を挟設し、該調整板の立上板部と上記取付部材の背板との間に調整ネジを介在せしめ、該調整ネジの正面側の端部に工具によるネジ回転手段を設ける。【選択図】図６
2011017391.tif 000002
【特許請求の範囲】
【請求項１】
複写機本体等の機器本体に取り付け固定される取付部材と、該取付部材にリフト軸を介して回動自在に枢着されると共に原稿圧着板等を直接または間接的に装着する支持部材から構成される開閉装置において、上記取付部材の底板と上記機器本体との間に調整板を挟設し、該調整板の立上板部と上記取付部材の背板との間に調整ネジを介在せしめ、該調整ネジの正面側の端部に工具によるネジ回転手段を設けたことを特徴とする開閉装置の取付位置調整機構。
【請求項２】
上記調整板が金属製であることを特徴とする請求項１に記載の開閉装置の取付位置調整機構。
【請求項３】
上記調整ネジの頭部を二段頭として、上記取付部材の背板の取付孔に回転自在に取り付けると共に、調整ネジのネジ部を上記調整板の立上板部のネジ孔に螺合せしめるように構成したことを特徴とする請求項１または２に記載の開閉装置の取付位置調整機構。
【請求項４】
上記取付部材の底板に、相互に連通した長孔部と大径孔から成る段付きネジ用長孔を形成し、該長孔部の内縁部を底板の下面側に絞り加工すると共に、該絞り加工された内縁部を上記調整板の開口部内に入り込ませるように構成することを特徴とする請求項１、２または３に記載の開閉装置の取付位置調整機構。
【請求項５】
上記調整板に立上板部を形成して、該立上板部を上記取付部材の底板の後方部に形成した調整立上板用孔を貫通せしめるように構成することを特徴とする請求項１、２、３または４に記載の開閉装置の取付位置調整機構。
【発明の詳細な説明】
【技術分野】
【０００１】
本発明は、複写機の原稿圧着板等の開閉装置の取付位置調整機構に関する。
【背景技術】
【０００２】
従来、この種の開閉装置の取付位置調整機構としては、開閉装置の取付部材の底板上に配置され、該底板を複写機本体等の機器本体との間で挟んで、該機器本体に上記開閉装置を取り付け固定する調整板を設け、該調整板と上記取付部材間に調整用ネジを介在させて、上記機器本体に対する開閉装置の位置を調整し、該開閉装置を機器本体の正確な位置に取り付ける機構があった。（特許文献１）
【０００３】
しかしながら、上記従来の取付位置調整機構は、開閉装置の背面からの調整しかできず、また、荷重の大きなＡＤＦ（原稿自動送り装置）を取り付け直角調整を行う際、調整作業者が移動を強いられ、作業効率が悪かった。また、調整の際に動かすのは開閉装置であり、樹脂製の機器本体と金属製の開閉装置との間の摩擦抵抗が高く、作業者への負荷が大きい等の問題点があった。
【先行技術文献】
【特許文献】
【０００４】
【特許文献１】特許第３９３０２６７号公報
【発明の概要】
【発明が解決しようとする課題】
【０００５】
本発明は、上記従来の問題点を解決して、開閉装置の正面から直角調整を行うことができる開閉装置の取付位置調整機構を提供することを課題とする。
また、開閉装置がＡＤＦを備える場合には、開閉装置の取付部材の底板の下に金属製の調整板を配置することにより、ＡＤＦ調整時の摩擦抵抗から調整作業を軽減させることを課題とする。
【課題を解決するための手段】
【０００６】
本発明の開閉装置の取付位置調整機構は、複写機本体等の機器本体に取り付け固定される取付部材と、該取付部材にリフト軸を介して回動自在に枢着されると共に原稿圧着板等を直接または間接的に装着する支持部材から構成される開閉装置において、上記取付部材の底板と上記機器本体との間に調整板を挟設し、該調整板の立上板部と上記取付部材の背板との間に調整ネジを介在せしめ、該調整ネジの正面側の端部に工具によるネジ回転手段を設けたことを特徴とする。また、上記調整板が金属製であることを特徴とする。さらに、上記調整ネジの頭部を二段頭として、上記取付部材の背板の取付孔に回転自在に取り付けると共に、調整ネジのネジ部を上記調整板の立上板部のネジ孔に螺合せしめるように構成したことを特徴とする。又更に、上記取付部材の底板に、相互に連通した長孔部と大径孔から成る段付きネジ用長孔を形成し、該長孔部の内縁部を底板の下面側に絞り加工すると共に、該絞り加工された内縁部を上記調整板の開口部内に入り込ませるように構成することを特徴とする。更に又、上記調整板に立上板部を形成して、該立上板部を上記取付部材の底板の後方部に形成した調整立上板用孔を貫通せしめるように構成することを特徴とする。
【発明の効果】
【０００７】
本発明の開閉装置の取付位置調整機構は、下記のような効果を有する。
１）調整用ネジを開閉装置の正面から調整できるようにすることにより、調整作業効率を向上せしめることができる。
２）金属製の開閉装置と、樹脂製の機器本体との間に金属製の調整板を配置することにより、開閉装置の調整移動による摩擦抵抗を低くして、調整作業の負担を軽減させることができる。
３）調整用ネジの頭を二段頭とし、これを開閉装置の取付部材の背面板を挟み込んで、ネジを回転させるように構成することで、ネジ自体を移動させることなく、調整板のみを移動させることができる。
４）開閉装置の取付部材の底板の段付きネジ配置部を絞り加工することにより、従来の段付きネジを使用することができる。
【図面の簡単な説明】
【０００８】
【図１】本発明の開閉装置の取付位置調整機構の一実施例を示す原稿圧着板の開閉装置の斜視図である。
【図２】開いた状態の開閉装置の全体斜視図（Ａ）および要部拡大斜視図である。
【図３】開閉装置から調整板を分離した状態の分解斜視図である。
【図４】図３の状態を別の角度から見た分解斜視図である。
【図５】取付部材の上面図である。
【図６】要部の断面図である。
【発明を実施するための形態】
【０００９】
以下、本発明の開閉装置の取付位置調整機構の実施例について、図面を参照しながら説明する。
【００１０】
図１において、１は取付部材、２はヒンジ軸、３は支持部材、４はリフト軸、５はリフト部材、６は調整板である。
【００１１】
図２からも明らかなように、上記取付部材１は、複写機本体等の機器本体Ｍに、後述する方法・手段により取り付け固定される。該取付部材１には、ヒンジ軸２を介して上記支持部材３が回動自在に枢着されている。該支持部材３には、リフト軸４を介してリフト部材５が、上記支持部材３の回動方向とは逆方向に、回動自在に枢着されている。該リフト部材５には、原稿圧着板（図示せず）が装着される。該原稿圧着板には、必要に応じて、ＡＤＦ（原稿自動送り装置）を設けることができる。また、上記リフト部材５を省略して、上記支持部材３に原稿圧着板を取り付けてもよい。
【００１２】
上記取付部材１は、底板１ａと、該底板１ａの両側からほぼ垂直に立ち上がっている側板１ｂにより、全体としてコ字状に構成されている。図５から明らかなように、上記底板１ａには、取付ネジ用長孔７と段付きネジ用長孔８が形成されている。段付きネジ用長孔８は、連通した長孔部８ａと大径孔８ｂから成り、該大径孔８ｂからは、機器本体Ｍに予め取付られている段付きネジの頭部が挿入され、該段付きネジ取付部材１を該頭部径より小幅の長孔部８ａにスライドさせるようになっている。本実施例の上記取付ネジ用長孔７は、上記大径孔８ｂに連通するように形成されているが、連通していなくてもよい。
【００１３】
図３および図４から明らかなように、上記段付きネジ用長孔８の長孔部８ａの内縁部８ａ′は、底板１ａの下面側に絞り加工されている。また、上記取付部材１の底板１ａの後方部には、調整立上板用孔９が形成されている。
【００１４】
上記調整板６には、開口部６ａと立上板部６ｂが形成されている。該立上板部６ｂは、上記調整立上板用孔９を貫通して、上記取付部材１の底板１ａの上面側に突き抜けている。該立上板部６ｂには調整ネジ１０（図４参照）が螺合する調整用ネジ孔６ｃが形成されている。
【００１５】
図６から明らかなように、機器本体Ｍ上には調整板６が配設され、該調整板６上に底板１ａが配設されるように、開閉装置１が設置される。開閉装置１の底板１ａに開設された調整立上板用孔９を貫通して、調節板６の立上板部６ｂが底板１ａ上に延設される。
【００１６】
上記立上板部６ｂに形成された調整用ネジ孔６ｃには、調整ネジ１０が螺合する。該調整ネジ１０の頭部は、二段頭（所定の間隔を開けた二枚のフランジ状頭部）となっている。従って、調整ネジ１０は取付部材１の背板１ｃに形成した取付孔１ｃ′に回転自在に取り付けられているが、軸方向には移動できないように、上記二段頭により規制されている。上記調整ネジ１０の正面側（図６で左側）の端部には、六角穴（六角工具を差し込む穴）が形成されていて、正面側から六角工具により、調整ネジ１０を容易に回転させることができる。該調整ネジ１０が回転すると、調整板６に対して取付部材１の取付位置を移動調整することができる。なお、本発明の上記調整ネジ１０の正面側の端部に設けられた工具によるネジ回転手段としては、上記六角穴に限定するものではなく、プラス溝又はマイナス溝等の従来公知のネジ回転手段であってもよい。
【００１７】
また、上記底板１ａの下面側に絞り加工されている上記長孔部８ａおよびその内縁部８ａ′は、上記調整板６の開口部６ａ内に入り込んでいて、該内縁部８ａ′の下面は、機器本体Ｍの上面に接触するようになっている。
【００１８】
上記実施例では、複写機の原稿圧着板を開閉する開閉装置について説明したが、本発明の開閉装置はこれに限定するものではなく、ＦＡＸ，スキャナーなど、原稿を画像処理するＯＡ機器であればいずれでもよい。
【符号の説明】
【００１９】
１    取付部材
１ａ  底板
１ｂ  側板
１ｃ  背板
１ｃ′取付孔
２    ヒンジ軸
３    支持部材
４    リフト軸
５    リフト部材
６    調整板
６ａ  開口部
６ｂ  立上板部
６ｃ  調整用ネジ孔
７    取付ネジ用長孔
８    段付きネジ用長孔
８ａ  長孔部
８ａ′内縁部
８ｂ  大径孔
９    調整立上板用孔
１０  調整ネジ
１１  段付きネジ
１２  取付ネジ
Ｍ    機器本体
【図１】
2011017391.tif 000003
【図２】
2011017391.tif 000004
【図３】
2011017391.tif 000005
【図４】
2011017391.tif 000006
【図５】
2011017391.tif 000007
【図６】
2011017391.tif 000008